【手続補正書】
【提出日】平成23年5月23日(2011.5.23)
【手続補正１】
【補正対象書類名】特許請求の範囲
【補正対象項目名】全文
【補正方法】変更
【補正の内容】
【特許請求の範囲】
【請求項１】
水と、炭酸カルシウム、硫酸カルシウム2水和物又は硫酸カルシウム1/2水和物のうちの1以上を含む充填剤と、結合剤と、必要に応じて殺生物剤とを含む組成物であって、組成物の調製済みサンプルが24時間後、ホルムアルデヒド無しである、組成物。
【請求項２】
約0.01〜約10重量%の範囲の量で硬化遅延剤を更に含む硬化型の組成物であり、約40〜約90重量%の範囲の量で硫酸カルシウム1/2水和物が存在し、約0.1〜約15重量%の範囲の量で結合剤が存在する、請求項１に記載の組成物。
【請求項３】
実質的に硫酸カルシウム1/2水和物無しであり、且つ硫酸カルシウム2水和物、炭酸カルシウム又はそれらの混合物を約20〜約95重量%含み、且つ約0.1〜約15重量%の範囲の量で結合剤が存在する、乾燥型の組成物である、請求項１に記載の組成物。
【請求項４】
結合剤が、ビニル含有、アクリル含有及びスチレン含有化合物、ビニル含有、アクリル含有及びスチレン含有化合物のポリマー類又はコポリマー類、デンプン類、カゼイン並びにそれらの混合物から成る群から選択される、請求項１〜３のいずれかに記載の組成物。
【請求項５】
結合剤がホルムアルデヒド無しである、請求項１〜４のいずれかに記載の組成物。
【請求項６】
ホルムアルデヒド無しの殺生物剤を更に含む、請求項１〜５のいずれかに記載の組成物。
【請求項７】
殺生物剤を更に含み、殺生物剤がイソチアゾリノンを含む、請求項１〜６のいずれかに記載の組成物。
【請求項８】
調製済みサンプルから24時間後に放出されるホルムアルデヒド量が約16μg m-3（13.5ppb）以下である、請求項１〜７のいずれかに記載の組成物。
【請求項９】
調製済みサンプルから24時間後に放出されるホルムアルデヒド量が約5μg m-3（4.1ppb）以下である、請求項１〜７のいずれかに記載の組成物。
【請求項１０】
調製済みサンプルから24時間後に放出されるホルムアルデヒド量が約2μg m-3（1.6ppb）以下である、請求項１〜７のいずれかに記載の組成物。
【手続補正２】
【補正対象書類名】明細書
【補正対象項目名】０００６
【補正方法】変更
【補正の内容】
【０００６】
発明の要旨
本発明は一つの態様において、前記の及び他のニーズに、水と、炭酸カルシウム、硫酸カルシウム2水和物又は硫酸カルシウム1/2水和物のうちの1以上を含む充填剤と、結合剤及び／又は殺生物剤とを含む組成物であって、硬化後の組成物がホルムアルデヒド無しである、組成物を提供することにより対応する。これらの組成物、及び自体ホルムアルデヒド無しの硬化した組成物の使用方法も、本発明により企図される。
即ち、本発明は以下に示すとおりである。
［１］水と、炭酸カルシウム、硫酸カルシウム2水和物又は硫酸カルシウム1/2水和物のうちの1以上を含む充填剤と、結合剤と、必要に応じて殺生物剤とを含む組成物であって、硬化後の組成物がホルムアルデヒド無しである、組成物。
［２］約0.01〜約10重量%の範囲の量で硬化遅延剤を更に含む硬化型の組成物であり、約40〜約90重量%の範囲の量で硫酸カルシウム1/2水和物が存在し、約0.1〜約15重量%の範囲の量で結合剤が存在し、組成物に約10,000cps〜約80,000cpsの粘度をもたらすのに十分な量で水が存在し、且つpHが約8〜約12の範囲である、［１］に記載の組成物。
［３］実質的に硫酸カルシウム1/2水和物無しであり、且つ硫酸カルシウム2水和物、炭酸カルシウム又はそれらの混合物を約20〜約95重量%含み、且つ約0.1〜約15重量%の範囲の量で結合剤が存在し、且つ組成物に約10,000cps〜約80,000cpsの粘度をもたらすのに十分な量で水が存在する、乾燥型の組成物である、［１］に記載の組成物。
［４］結合剤が、ビニル含有、アクリル含有及びスチレン含有化合物、ビニル含有、アクリル含有及びスチレン含有化合物のポリマー類又はコポリマー類、デンプン類、並びにそれらの混合物から成る群から選択される、［１］〜［３］のいずれかに記載の組成物。
［５］結合剤が、ポリ酢酸ビニル類、ポリビニルアルコール類、（メタ）アクリルポリマー類、エチレン酢酸ビニルポリマー類、塩化ビニルポリマー類、スチレンアクリルポリマー類、ポリスチレン類、ポリアクリルアミド類、スチレンブタジエン、天然デンプン類、合成デンプン類、カゼイン及びそれらの混合物から成る群から選択される、［１］〜［４］のいずれかに記載の組成物。
［６］結合剤が、ポリ酢酸ビニル類、ポリビニルアルコール類、（メタ）アクリルポリマー類、エチレン酢酸ビニルポリマー類、塩化ビニルポリマー類、スチレンアクリルポリマー類、ポリスチレン類、ポリアクリルアミド類、スチレンブタジエン及びそれらの混合物から成る群から選択される、［１］〜［５］のいずれかに記載の組成物。
［７］結合剤がホルムアルデヒド無しである、［１］〜［６］のいずれかに記載の組成物。
［８］結合剤がポリマーラテックス懸濁物を含む、［１］〜［７］のいずれかに記載の組成物。
［９］結合剤が酢酸ビニルポリマーを含むポリマーラテックス懸濁物を含む、［１］〜［８］のいずれかに記載の組成物。
［１０］殺生物剤を更に含む、［１］〜［９］のいずれかに記載の組成物。
［１１］ホルムアルデヒド無しの殺生物剤を更に含む、［１］〜［９］のいずれかに記載の組成物。
［１２］殺生物剤を更に含み、殺生物剤がイソチアゾリノンを含む、［１］〜［１１］のいずれかに記載の組成物。
［１３］殺生物剤を更に含み、殺生物剤が非ハロゲン化イソチアゾリノンを含む、［１］〜［１１］のいずれかに記載の組成物。
［１４］殺生物剤を更に含み、殺生物剤がC1〜C8イソチアゾリノンを含む、［１］〜［１３］のいずれかに記載の組成物。
［１５］殺生物剤を更に含み、殺生物剤が、メチルイソチアゾリノン、ベンジルイソチアゾリノン、オクチルイソチアゾリノン又はそれらの混合物を含む、［１］〜［１４］のいずれかに記載の組成物。
［１６］殺生物剤を更に含み、殺生物剤が組成物の約0.01重量%〜約5重量%の量でイソチアゾリノンを含む、［１］〜［１５］のいずれかに記載の組成物。
［１７］結合剤が組成物の約1重量%〜約8重量%を構成する、［１］〜［１６］のいずれかに記載の組成物。
［１８］硬化遅延剤を更に含む、［１］、［２］又は［４］〜［１７］のいずれかに記載の組成物。
［１９］硬化遅延剤が有機物質を含む、［１８］に記載の組成物。
［２０］硬化遅延剤がクエン酸、タンパク質性遅延剤又はそれらの混合物を含む、［１９］に記載の組成物。
［２１］硬化遅延剤がカルシウム非含有リン酸塩を含む、［１８］に記載の組成物。
［２２］組成物の約40〜約90重量%の範囲の量で硫酸カルシウム1/2水和物が存在し、且つ組成物の約0.01〜約10重量%の範囲の量で硬化遅延剤が存在する、［１］、［２］又は［４］〜［２１］のいずれかに記載の組成物。
［２３］充填剤が膨張パーライトを更に含む、［１］〜［２２］のいずれかに記載の組成物。
［２４］膨張パーライトが組成物の約1〜約20重量%を構成する、［２３］に記載の組成物。
［２５］増粘剤を更に含む、［１］〜［２４］のいずれかに記載の組成物。
［２６］レオロジー改質剤を更に含む、［１］〜［２５］のいずれかに記載の組成物。
［２７］レオロジー改質剤が粘土を含む、［２６］に記載の組成物。
［２８］基材上に塗布後の組成物のひび割れの最少化を補助する剤を更に含む、［１］〜［２７］のいずれかに記載の組成物。
［２９］前記剤が、雲母、滑石、絹雲母、パーライト又はそれらの混合物を含む、［２８］に記載の組成物。
［３０］前記剤が組成物の約0.01重量%〜約15重量%を構成する、［２９］に記載の組成物。
［３１］硬化促進剤を更に含む、［１］、［２］又は［４］〜［３０］のいずれかに記載の組成物。
［３２］室温で少なくとも部分的に水溶性であり且つ固体である合成ポリマーワックスを更に含む、［１］〜［３１］のいずれかに記載の組成物。
［３３］約0.1〜約10重量%の範囲の量でワックスが組成物中に存在する、［３２］に記載の組成物。
［３４］硫酸カルシウム2水和物、炭酸カルシウム又はそれらの混合物を約20〜約95重量%含み、且つ約0.1〜約15重量%の範囲の量で結合剤が存在する、［３］に記載の組成物。
［３５］硬化した組成物から放出されるホルムアルデヒド量が約16μg m-3（13.5ppb）以下である、［１］〜［３４］のいずれかに記載の組成物。
［３６］硬化した組成物から放出されるホルムアルデヒド量が約10μg m-3（8.2ppb）以下である、［１］〜［３４］のいずれかに記載の組成物。
［３７］硬化した組成物から放出されるホルムアルデヒド量が約5μg m-3（4.1ppb）以下である、［１］〜［３４］のいずれかに記載の組成物。
［３８］硬化した組成物から放出されるホルムアルデヒド量が約2μg m-3（1.6ppb）以下である、［１］〜［３４］のいずれかに記載の組成物。
［３９］（a）［１］〜［３８］のいずれか1項の組成物を塗布して割れ目を塞ぐ工程；
（b）組成物を硬化させる工程；及び
（c）組成物を磨いて滑らかな表面を提供する工程
を含む、壁板表面の割れ目を塞ぐ方法。
［４０］［１］、［２］又は［４］〜［３８］のいずれかに記載の組成物及び組成物用の硬化促進剤を含む、キット。